(57)【要約】【課題】バストを確実にアップした状態に補整、固定するため、カーブライン形状に装備した粘着性ゲルで肌に粘着、バスト下方から持ち上げ、中央へ押し寄せ、装着をしているあいだ中、女性のバスト全体を美しいまま補整し続ける事を可能にし、激しく動作をしても終日元に戻ってしまう心配の無いブラジャーの提供。【解決手段】表面の外観は一般的なブラジャーで、裏面に特徴があり、図のとおりの構造である。ブラジャーの裏面の左右各カップ周りにカーブライン形状にて数ミリ程度の太さで粘着性ゲル部分１が装備され、肌に貼りつくように密着しバストまわりの肉を集めてズレずに固定しておく働きを有する。【選択図】図１
2009293170.tif 000002
【特許請求の範囲】
【請求項１】
バストを脇から下にかけて、堰き止めるようにして下方から持ち上げ、両サイドから押して寄せ、しかも朝一度成形した理想のバストをずっと「逆流」させず夜までずっとそのままキープ可能にするため、粘着性を有するゲル・シリコン状の部材を使用、ブラジャーの裏面の左右それぞれのカップ縁周りに円弧ライン形状にて数ミリ程度の太さで粘着性のあるゲル・シリコン部分を装備したことを特徴とするブラジャー。
【請求項２】
ライン形状のゲル・シリコン状の部材はそれ自体に粘着性を持ち、装着した際に肌に貼りつくように密着しバストまわりの肉を集めてズレずに固定しておく働きを有する請求項１のブラジャー。
【請求項３】
ゲル・シリコン状の部材部分には適度な弾力性や伸縮性や柔軟性が有り、女性のどのような体形にもピッタリとフィットしやすく、快適な装着感が得られることを特徴とする請求項１のブラジャー。
【請求項４】
請求項１、２記載のブラジャーであって、洗って粘着を再生させることもでき、したがって繰り返しの使用が可能としたことを特徴とするブラジャー。
【発明の詳細な説明】
【技術分野】
【０００１】  本発明は、女性の胸元を美しく整えるブラジャーおよびその製造方法に関するものである。
【背景技術】
【０００２】  従来、女性が身につけるブラジャーは下着として高機能、高品質なものも多く出回り胸元を美しく演出するために役立ってきた。バストアップやその周辺体型の補整をすることが補整用ブラジャー主な目的とされ、定番となっている。補整機能を持たせるためにその構造には、「ワイヤー」や「ボーン」なども広く知られ用いられている。【０００３】  しかしながら、これらの一般的補整ブラジャーではバストアップやその周辺体型の補整をすることが一時的には可能であるものの、時間の経過あるいは日常動作によって「すべり」「崩れ」（補整していた体型が本来の位置に戻る）が発生し、せっかくのボディメイクがそのままの状態で終日維持され続けることが出来なかった。【０００４】  また、最近になって上述のブラジャーとは一線を画した「カップ全体貼り付けタイプのブラジャー」も登場しているものの、ストラップ・ベルト無しで安定感が少ない上に重め、通気悪く、装着時のひんやりとした使用感から日常的な使用には向きづらいものである。
【発明の開示】
【発明が解決しようとする課題】
【０００５】  女性のバストの肉は、通常ブラの左右カップ内（ワイヤーより内側）へキレイに集めて形を整えるが、生地と肌は貼り付いていないため時間と共に動作などの影響で、その肉はだんだんとワイヤー部分を越えカップ外へと出ていき、バストは平らに広がって谷間が無くなったり、またバストアップさせていたバスト下の肉も出て来る。そこで、より確実にバストアップした状態に補整、固定して、終日装着をしているあいだ中、女性の胸元を美しいまま補整し続けることを可能にしたブラジャーを提供することである。【０００６】  終日、また装着しているあいだ中、女性の胸元をアップさせ寄せて美しいまま補整し続けることが出来るよう本発明品は、その裏面に特殊な装備をしていることが特徴である。【０００７】  本発明品は、左右バストカップ縁のワイヤー内臓部分生地のバスト素肌に接する側には、ちょうどワイヤーと同じような曲線形状配置で、数ミリメートルの太さ（幅）のゲル状の部材を装備している。
ライン形状に装備してあるため、全面を覆わない。したがって、バスト全体に貼りつく従来の裏側全面シリコン製のブラジャーのような不快感が無い。【０００８】  ライン形状のゲルはそれ自体に粘着性を持っているので、装着した際に肌に貼りつくように密着しバストまわりの肉を集めてズレずに固定しておく働きをする。
そのゲル状の部材の特性としては、使用して粘着力が落ちてきても水洗いをすれば、本来の粘着力が復活できることである。
また、ゲル状の部材には適度な弾力性・伸縮性・柔軟性などの特性が有り、女性のどのような体形にもピッタリとフィットしやすく、快適な装着感が得られる。
さらに、ゲル状の部材には肌に対しての安全でもあることから、肌カブレの心配な従来のシリコン製ブラジャーと比較しても身につける際に安心である。
【課題を解決するための手段】
【０００９】  課題を解決するための手段として、ブラジャー裏面のカップ縁部分にライン状に装備してある粘り感のあるゲル状の部材でバスト脇から下にかけての肌に粘着、堰き止めるようにしてバストを下方から持ち上げ、両サイドから押して寄せ、しかも朝一度成形した理想のバストがずっと「逆流」せず夜までずっとそのままキープ可能にするため、ＣＯＳＭＯ等の「粘着ゲル」の素材を使用することにした。ブラジャー用の収縮布をゲル片面に溶着させる処理などが適している。【００１０】  本発明のブラジャーの構成は、基本的に一般的補整用ブラジャーと同様に取り外し自由なストラップを用いるものであり、安定した装着感を有するものである。一般的補整用ブラジャーの従来技術に本発明の粘着ゲル装備を付加させることにより、双方の特徴を併せ持ち、バストを上方にアップして、くっきり谷間の形成されたバストを長時間崩れることなく最高に美しく維持できるものである。【００１１】  本発明品は、従来の通常ブラジャーとは、装着方法に関して下記のように異なる点がある。装着時にはまず通常のブラジャーと同様に両手で肩ストラップを自分の肩に掛ける。次に、バストカップの装着位置を自分のバストの位置と合わせておくのも同様である。しかしこの合わせた際に自分の肌にゲルラインの粘着性部分が貼り付くようになるため、仮止めのようにバストの縁に位置に貼れているとよい。その後多少屈み姿勢でバストが寄りやすく姿勢を変え背中ホックを止める。最後に先ほどの仮止め状態だったゲルライン部分（ワイヤー位置と同一であるため）の内側へ向けて、バスト周りの肉を手で交互に集め、ゲルの粘着性を利用してピッタリと正しい位置へ押さえ固定をおこなう。仕上げは再度姿勢をまっすぐに戻し鏡を見ながら全体の位置を確認すれば装着が完了する。【００１２】  着用後の手入れとして、手洗いすることによりゲル部分の粘着性が復活する。保管時にはゲル状の部材部分に専用の保護シートを貼り付けておく。【００１３】  以下に、本発明のブラジャーに使用する材料ならびに製作方法を記載する。
ゲル状の部材の布への固着は、縫い付け（縫製）・接着・過熱溶着などにより固着する方法で製造されたことを特徴とする。
【発明を実施するための最良の形態】
【００１４】  以下、本発明の実施の形態について、図を使用し説明する。
表面の外観は一般的なブラジャーである。その裏面に特徴があり、図１のとおりの構造である。ブラジャーの裏面の左右それぞれのカップ周りに円弧ライン形状にて数ミリ程度の太さでゲル状の部材１が装備されている。
ライン形状のゲルはそれ自体に粘着性を持ち、装着した際に肌に貼りつくように密着しバストまわりの肉を集めて、ズレずに固定しておく働きを有する。
ゲル状の部材には適度な弾力性や伸縮性や柔軟性が有り、女性のどのような体形にもピッタリとフィットしやすく、快適な装着感が得られる事である。
【発明の効果】
【００１５】  以上説明してきたように、本発明の（請求項１）記載のように、従来には考え出されなかったブラジャーを胸元に装着することによって、ボリュームのある胸元を演出できると同時に、朝一度成形した理想のバストが「逆流」せず夜までずっとそのままアップ、キープ可能になった。また、ライン状にバストのまわりのみゲル状の部材が作用するため、通気やカブレの心配もない。洗って粘着を再生させることも出来るため繰り返し使用が可能である。
【００１６】  本発明のブラジャーにあっては、ゲル状の部材がライン形状に装備してあるため、バストの肌全体を覆わない。したがってバスト全体に貼りつく従来のシリコンブラジャーのようなひんやりとした不快感が無い。
ライン形状のゲル状の部材はそれ自体に粘着性を持ち、装着した際に肌に貼りつくように密着しバストまわりの肉を集めてズレずに固定しておく働きを有する。
そのゲル状の部材の特性としては、使用して粘着力が落ちてきても水洗いをすることで本来の粘着力が復活できる事である。また、ゲルには適度な弾力性や伸縮性や柔軟性が有り、女性のどのような体形にもピッタリとフィットしやすく、快適な装着感が得られる事である。
さらに、ゲルは肌に対して安全でもある事から、肌カブレの心配なシリコン製と比較しても身につける際に安心である。
以上説明してきたように、本発明の記載のように、従来には考え出されなかったブラジャーをバストに装着することによって、ライン状に装備してある粘り感のあるゲルで肌に粘着、堰き止めるようにして下方から持ち上げ、両サイドからバスト間中央へ押し寄せ、しかも朝一度成形した理想のバストがずっと「逆流」せず一日中ずっとそのままキープ可能にしたブラジャーの提供を可能にした。
【００１７】  運動の際には従来のブラジャーカップ位置はズレたりすることも多かったが、このブラジャーであれば、粘着性のあるライン形状ゲルで密着させるため、その心配が無くすることができた。また、ゲル状の部材部分は、バストの周り（脇から下方にかけてのワイヤーと同位置辺りの裏面）に、数ミリ幅のライン形状で装備しているために、カップ部分の通気を妨げず、汗によるムレ、不快感も無くすることができた。
【産業上の利用可能性】
【００１８】  女性のバストの肉は、通常朝にここの部分のカップ内（ワイヤーより内側）へキレイに集めて形を整える。が、時間の経過と共に動作等の影響で、バストの肉はだんだんとカップ外へと戻っていき、バストは平らに広がって谷間が無くなったり、またバストアップさせていたバスト下の肉も出ていってしまう。
本発明のブラジャーは、ゲル状の部材１の部分にライン（線）状に装備してある粘着性のあるゲルで堰き止め確実にバストアップした状態に補整、固定して、終日装着をしているあいだ中、女性の胸元を美しいまま補整し続けることが出来る。朝一度成形した理想のバストの肉が「逆流」せず夜までずっとそのままキープ可能であり、また、ライン状にバストのまわりのみゲルが作用するため、通気やカブレの心配も無い。洗って粘着を再生させることが出来る。【００１９】  上述のように、多くの女性に対し、バストをより確実にアップした状態に補整、固定して、終日装着をしているあいだ中、女性のバスト全体を美しいまま補整し続けることを可能にし、激しく動作をしてもバストの形が元に戻ってしまう心配の無いブラジャーを提供することが出来る。
【図面の簡単な説明】
【００２０】
【図１】本発明の実施例の俯瞰図である。
【符号の説明】
【００２１】１  ゲル状の部材
【図１】
2009293170.tif 000003
【手続補正書】
【提出日】平成20年7月23日(2008.7.23)
【手続補正１】
【補正対象書類名】明細書
【補正対象項目名】００１４
【補正方法】変更
【補正の内容】
【００１４】  以下、本発明の実施の形態について、図を使用し説明する。
表面の外観は一般的なブラジャーである。その裏面に特徴があり、図１のとおりの構造である。ブラジャーの裏面の左右それぞれのカップ周りに円弧ライン形状にて数ミリ程度の太さでゲル状の部材１が装備されている。
ライン形状のゲルはそれ自体に粘着性を持ち、装着した際に肌に貼りつくように密着しバストまわりの肉を集めて、ズレずに固定しておく働きを有する。
ゲル状の部材には適度な弾力性や伸縮性や柔軟性が有り、女性のどのような体形にもピッタリとフィットしやすく、快適な装着感が得られる事である。
図２は、本発明品の実施例の部材構成を示す図である。図２に示すように、ゲル状の部材（１）は、逆Ｔ字断面帯状をなし、粘着ゲル状部材の両脇に、縫製補強用の力布（３）を被せて、ブラジャー本体（１）に、縫製用ミシン糸（４）によって固着させる。
ゲル状の部材（１）のゲルの粘度・硬度などについては、下記に見解にたっている。
▲１▼粘度は、かなり弱めのほうが比較的良い。粘着は必要であるが、粘着は強すぎると、「ひきつれ」や、外す際の「痛み」が、不快となることが多い。
▲２▼ゲルの厚みについては、図２のゲル状の部材（１）凸部が縫製補強用の力布（３）から２ミリ程度突出する寸法関係が最適である。
▲３▼硬度は、形式ＮＯ１３（硬度１５）ないし形式ＮＯ１６（硬度２２）のものが最適である。
▲４▼ゲル状の部材（１）の粘度は使用することにより低下するが、手洗い洗濯により、表面が洗浄されることにより、粘度が復元できるので半永久的な使用に耐える。
【手続補正書】
【提出日】平成20年7月23日(2008.7.23)
【手続補正１】
【補正対象書類名】明細書
【補正対象項目名】００２０
【補正方法】変更
【補正の内容】
【００２０】
【図１】本発明実施の形態における一例を示す俯瞰図である。
【図２】本発明品の実施例の部材構成を示す図である
【手続補正２】
【補正対象書類名】明細書
【補正対象項目名】００２１
【補正方法】変更
【補正の内容】
【００２１】１  ゲル状の部材
２  ブラジャー本体
３  縫製補強用の力布
４  縫製用ミシン糸
【手続補正３】
【補正対象書類名】図面
【補正対象項目名】全図
【補正方法】変更
【補正の内容】
【図１】
2009293170.tif 000004
【図２】
2009293170.tif 000005